(57)【要約】【課題】  被写体の動きによるブラケティング撮影の撮影失敗を抑制でき、かつ多様な撮影条件のパラメータでのブラケティング撮影に対応する電子カメラを提供する。【解決手段】  電子カメラは、撮像素子と、制御部と、メモリと、動き量演算部とを有する。撮像素子は、撮影光学系による被写体像を光電変換して画像信号を生成する。制御部は、撮影条件のパラメータを段階的に変化させて複数回のブラケティング撮影を実行し、画像信号に基づく画像データを生成する。メモリには、ブラケティング撮影での初回撮影時の基準画像データが格納される。動き量演算部は、ブラケティング撮影での第２回撮影以降において、基準画像データと画像データとを比較して被写体の動き量を演算する。そして、制御部は動き量が閾値以上の場合にブラケティング撮影を中止する。【選択図】  図１
2006217249.tif 000002
【特許請求の範囲】
【請求項１】
撮影光学系による被写体像を光電変換して画像信号を生成する撮像素子と、
撮影条件のパラメータを段階的に変化させて複数回のブラケティング撮影を実行し、前記画像信号に基づく画像データを生成する制御部と、
前記ブラケティング撮影での初回撮影時の基準画像データを格納するメモリと、
前記ブラケティング撮影での第２回撮影以降において、前記基準画像データと前記画像データとを比較して被写体の動き量を演算する動き量演算部と、を有し、
前記制御部は、前記動き量が閾値以上の場合に前記ブラケティング撮影を中止することを特徴とする電子カメラ。
【請求項２】
前記制御部は、前記ブラケティング撮影の中止後に前記撮像素子を所定間隔ごとに駆動させて再開判定用の画像データを生成し、該再開判定用の画像データから演算された前記動き量が閾値未満の場合には前記ブラケティング撮影を再開することを特徴とする請求項１に記載の電子カメラ。
【請求項３】
前記再開判定用の画像データは前記ブラケティング撮影時の画像データよりも画素数が少なく設定され、
前記動き量演算部は、前記基準画像データの画素数を前記再開判定用の画像データの画素数に対応させて前記動き量を演算することを特徴とする請求項２に記載の電子カメラ。
【請求項４】
前記制御部は、前記ブラケティング撮影の中止から所定時間内に前記ブラケティング撮影の再開がない場合には前記再開判定用の画像データの生成動作を停止して撮影終了することを特徴とする請求項２または請求項３に記載の電子カメラ。
【請求項５】
前記動き量演算部は、前記基準画像データと前記画像データとの色相および輝度の少なくとも一方の変化に基づいて前記動き量を演算することを特徴とする請求項１から請求項４のいずれか１項に記載の電子カメラ。
【請求項６】
電子カメラと、前記電子カメラに対してデータ通信可能に接続された撮影制御装置とを備えた電子カメラシステムであって、
前記電子カメラは、撮影光学系による被写体像を光電変換して画像信号を生成する撮像素子と、撮影条件のパラメータを段階的に変化させて複数回のブラケティング撮影を実行し、前記画像信号に基づく画像データを生成するカメラ側制御部と、を有し、
前記撮影制御装置は、前記ブラケティング撮影での初回撮影時の基準画像データを格納するメモリと、前記ブラケティング撮影での第２回撮影以降において、前記基準画像データと前記画像データとを比較して被写体の動き量を演算する動き量演算部と、前記動き量が閾値以上の場合に前記電子カメラに前記ブラケティング撮影を中止させる装置側制御部と、を有することを特徴とする電子カメラシステム。
【請求項７】
撮影光学系による被写体像を光電変換して画像信号を生成する撮像素子と、撮影条件のパラメータを段階的に変化させて複数回のブラケティング撮影を実行し、前記画像信号に基づく画像データを生成するカメラ側制御部と、を有する電子カメラと、
メモリおよび装置側制御部とを有し、前記電子カメラに対してデータ通信可能に接続されてなる撮影制御装置とを備えた電子カメラシステムのプログラムであって、
前記ブラケティング撮影での初回撮影時の基準画像データを前記電子カメラから取得して前記メモリに格納する手順と、
前記ブラケティング撮影での第２回撮影以降において、前記基準画像データと前記電子カメラから取得した前記画像データとを比較して被写体の動き量を演算する手順と、
前記動き量が閾値以上の場合に前記電子カメラに前記ブラケティング撮影を中止させる手順と、
を前記装置側制御部に実行させるためのプログラム。
【発明の詳細な説明】
【技術分野】
【０００１】
本発明はブラケティング撮影機能を備えた電子カメラおよび電子カメラシステムについて、特にブラケティング撮影中の被写体の動きに応じて撮影を中止する電子カメラおよび電子カメラシステムに関する。
【背景技術】
【０００２】
従来から、同一シーンの撮影条件を僅かに変化させて複数フレームを連続的に撮影するブラケティング撮影機能を有する電子カメラが知られている。このブラケティング撮影は、適正な撮影条件の決定が困難な場合において撮影条件を変化させて撮影した画像群から適正な画像を事後選択するために行われる。したがって、ブラケティング撮影では撮影中の被写体のポーズや構図がほぼ一定に保たれることが重要となる。
【０００３】
上記に関連して、特許文献１には１回の撮影で露出の異なる複数の画像を得ることができる電子カメラが開示されている。この特許文献１の電子カメラでは撮影を１度しか行わないので被写体のポーズや構図が画像間で変化することはない。また、特許文献２には被写体の動きを検出する固体撮像装置が開示されている。
【特許文献１】特開平１１−４３８０号公報
【特許文献２】特開平１１−１７７８９２号公報
【発明の開示】
【発明が解決しようとする課題】
【０００４】
しかし、上記特許文献１では撮影を１度しか行わないので、例えば絞り値を変化させて被写界深度を段階的に調整するようなブラケティング撮影を行うことはできない。すなわち、上記特許文献１で実現できるブラケティング撮影は画像処理のパラメータに関するものに限定される。一方、特許文献２にはブラケティング撮影に関する記載はなく、上記問題を何ら解決するものではない。
【０００５】
本発明は上記従来技術の課題を解決するためのものであって、その目的は、被写体の動きによるブラケティング撮影の撮影失敗を抑制でき、かつ多様な撮影条件のパラメータでのブラケティング撮影に対応する電子カメラおよび電子カメラシステムを提供することである。
【課題を解決するための手段】
【０００６】
第１の発明に係る電子カメラは、撮影光学系による被写体像を光電変換して画像信号を生成する撮像素子と、撮影条件のパラメータを段階的に変化させて複数回のブラケティング撮影を実行し、前記画像信号に基づく画像データを生成する制御部と、前記ブラケティング撮影での初回撮影時の基準画像データを格納するメモリと、前記ブラケティング撮影での第２回撮影以降において、前記基準画像データと前記画像データとを比較して被写体の動き量を演算する動き量演算部と、を有し、前記制御部は、前記動き量が閾値以上の場合に前記ブラケティング撮影を中止することを特徴とする。
【０００７】
第２の発明は、第１の発明において、前記制御部は、前記ブラケティング撮影の中止後に前記撮像素子を所定間隔ごとに駆動させて再開判定用の画像データを生成し、該再開判定用の画像データから演算された前記動き量が閾値未満の場合には前記ブラケティング撮影を再開することを特徴とする。
第３の発明は、第２の発明において、前記再開判定用の画像データは前記ブラケティング撮影時の画像データよりも画素数が少なく設定され、前記動き量演算部は、前記基準画像データの画素数を前記再開判定用の画像データの画素数に対応させて前記動き量を演算することを特徴とする。
【０００８】
第４の発明は、第２または第３の発明において、前記制御部は、前記ブラケティング撮影の中止から所定時間内に前記ブラケティング撮影の再開がない場合には前記再開判定用の画像データの生成動作を停止して撮影終了することを特徴とする。
第５の発明は、第１から第４の発明において、前記動き量演算部は、前記基準画像データと前記画像データとの色相および輝度の少なくとも一方の変化に基づいて前記動き量を演算することを特徴とする。
【０００９】
第６の発明は、電子カメラと、前記電子カメラに対してデータ通信可能に接続された撮影制御装置とを備えた電子カメラシステムである。前記電子カメラは、撮影光学系による被写体像を光電変換して画像信号を生成する撮像素子と、撮影条件のパラメータを段階的に変化させて複数回のブラケティング撮影を実行し、前記画像信号に基づく画像データを生成するカメラ側制御部と、を有する。前記撮影制御装置は、前記ブラケティング撮影での初回撮影時の基準画像データを格納するメモリと、前記ブラケティング撮影での第２回撮影以降において、前記基準画像データと前記画像データとを比較して被写体の動き量を演算する動き量演算部と、前記動き量が閾値以上の場合に前記電子カメラに前記ブラケティング撮影を中止させる装置側制御部と、を有することを特徴とする。
【００１０】
第７の発明は、撮影光学系による被写体像を光電変換して画像信号を生成する撮像素子と、撮影条件のパラメータを段階的に変化させて複数回のブラケティング撮影を実行し、前記画像信号に基づく画像データを生成するカメラ側制御部と、を有する電子カメラと、メモリおよび装置側制御部とを有し、前記電子カメラに対してデータ通信可能に接続されてなる撮影制御装置とを備えた電子カメラシステムのプログラムである。このプログラムは、前記ブラケティング撮影での初回撮影時の基準画像データを前記電子カメラから取得して前記メモリに格納する手順と、前記ブラケティング撮影での第２回撮影以降において、前記基準画像データと前記電子カメラから取得した前記画像データとを比較して被写体の動き量を演算する手順と、前記動き量が閾値以上の場合に前記電子カメラに前記ブラケティング撮影を中止させる手順と、を前記装置側制御部に実行させる。
【発明の効果】
【００１１】
本発明では、初回撮影時の基準画像データと第２回撮影以降の画像データとを比較し、被写体の動き量が閾値以上の場合にはブラケティング撮影を中止するので、初回撮影と被写体のポーズや構図が大きく異なる撮影失敗画像が大量に撮影されることはない。また、本発明ではブラケティング撮影時に複数回の撮影を行うので、撮影光学系のパラメータを段階的に変化させるブラケティング撮影にも対応できる。
【発明を実施するための最良の形態】
【００１２】
図１は第１実施形態の電子カメラの構成を示す概要図である。第１実施形態の電子カメラは、撮影レンズ１１と、レンズ駆動機構１２と、絞り部１３と、レンズマイコン１４と、撮像素子１５と、アナログ信号処理部１６と、Ａ／Ｄ変換部１７と、ＣＰＵ１８と、画像処理部１９と、動き量演算部２０と、メモリ２１と、カードＩ／Ｆ２２と、表示Ｉ／Ｆ２３およびモニタ２４と、操作部２５と、データバス２６とを有している。なお、Ａ／Ｄ変換部１７、ＣＰＵ１８、画像処理部１９、動き量演算部２０、メモリ２１、カードＩ／Ｆ２２および表示Ｉ／Ｆ２３は、データバス２６を介してそれぞれ接続されている。
【００１３】
撮影レンズ１１は、ズームレンズと合焦調節用のフォーカシングレンズとを含む複数のレンズ群で構成されている。レンズ駆動機構１２は撮影レンズ１１の光軸方向の位置を調整する。絞り部１３は複数枚の絞り羽根の位置を変化させて絞り径を調整し、撮像素子１５への入射光量調節を行う。そして、レンズマイコン１４はＣＰＵ１８からの指示に基づいてレンズ駆動機構１２および絞り部１３を制御する。
【００１４】
撮像素子１５は撮影レンズ１１の像空間側に配置されている。撮像素子１５の受光面（撮影レンズ１１と相対する面）には、被写体像を光電変換してアナログ画像信号を生成する受光画素が２次元配列されている。この撮像素子１５の画像信号は、撮影画像データの生成や、ＡＦ演算およびＡＥ演算や、後述するブラケティング撮影モードでの被写体の動き量検出に使用される。なお、撮像素子１５の構成は電荷順次転送方式（ＣＣＤ等）またはＸＹアドレス方式（ＣＭＯＳ等）のいずれであってもよい。
【００１５】
アナログ信号処理部１６は、相関二重サンプリングを行うＣＤＳ回路、アナログ画像信号の出力を増幅するゲイン回路、入力信号の波形を一定の電圧レベルにクランプするクランプ回路等で構成されている。Ａ／Ｄ変換部１７はアナログ信号処理部１６から出力されたアナログ画像信号をデジタル画像信号に変換する。
ＣＰＵ１８は図示しないＲＯＭに格納されたシーケンスプログラムに従って電子カメラの各部動作を制御する。例えば、ＣＰＵ１８はフォーカシングレンズの移動前後の焦点評価値の大小を比較する山登り動作でＡＦ演算を実行する。また、ＣＰＵ１８は撮像素子１５の画像信号を用いて分割測光を行い、この分割測光結果に基づいてＡＥ演算を実行する。
【００１６】
ＣＰＵ１８は、ユーザーの入力によって電子カメラの「通常撮影モード」、「ブラケティング撮影モード」等のモード切り替えを実行する。「通常撮影モード」ではＣＰＵ１８はレリーズ操作に応じて１回の撮影を行う。
一方、「ブラケティング撮影モード」ではＣＰＵ１８は撮影条件のパラメータを段階的に変化させて複数回の撮影を行う。この「ブラケティング撮影モード」では、ＣＰＵ１８は撮影時にブラケティング撮影されたフレーム数をカウントする。また、ＣＰＵ１８は後述の被写体の動き量（動き量データ）に基づいてブラケティング撮影を中止するか否かを判定する。
【００１７】
なお、「ブラケティング撮影モード」において、ＣＰＵ１８が撮影毎に変化させるパラメータには、（１）シャッタ秒時、絞り値、撮像感度（アナログ信号処理部１６のゲイン）による露出条件、（２）画像処理部１９でのホワイトバランスの設定、（３）ズームレンズの位置、（４）フォーカスレンズの位置、が挙げられる。
画像処理部１９は、デジタル画像信号にガンマ補正、補間、色補正、ホワイトバランスなどの画像処理を行って撮影画像データを生成する。また、画像処理部１９はＪＰＥＧ形式等の所定のフォーマットで撮影画像データを圧縮伸長する処理を実行する。
【００１８】
なお、「ブラケティング撮影モード」でホワイトバランスを変化させる場合には、画像処理部１９は各フレーム毎にホワイトバランス補正値（ＲＧＢの各色のゲイン値）を所定の変化量ずつ変化させる。
さらに、画像処理部１９はブラケティング撮影時に被写体の動き量を演算するための画像データを生成する。この動き量演算用の画像データは、画像処理部１９がデジタル画像信号に一部の画像処理を施して、撮影画像データとは別に生成される。なお、動き量演算用の画像データの画素数は撮影画像データと同じであってもよく、あるいは動き量演算の高速化のために撮影画像データよりも画素を間引きして画素数を少なくしてもよい。
【００１９】
動き量演算部２０は、「ブラケティング撮影モード」において、動き量演算用の画像データの初回撮影分（基準画像データ）と第２回撮影以降の動き量演算用の画像データとに基づいて動き量データを生成する。
メモリ２１はＳＤＲＡＭ等で構成され、複数フレーム分の画像データを記録できる容量を有している。メモリ２１には、画像処理前のデジタル画像信号や、画像処理後の撮影画像データが一時保存される。また、「ブラケティング撮影モード」ではメモリ２１に基準画像データを記録する領域が確保される。
【００２０】
カードＩ／Ｆ２２には記録媒体２７を接続するためのコネクタが形成されている。記録媒体２７は公知の半導体メモリなどで構成され、この記録媒体２７には圧縮処理後の撮影画像データが最終的に記録される。
表示Ｉ／Ｆ２３にはモニタ２４が接続されている。モニタ２４には撮影画像データの再生画面や、電子カメラの各種設定を行うための設定画面などが表示される。操作部２５は、上記の設定画面においてユーザーの入力に使用される入力部材（コマンドダイヤルなど）や、レリーズ操作用のレリーズ釦を有している。
【００２１】
なお、上記の設定画面では、（１）撮影モードの設定、（２）ブラケティング撮影で変化させるパラメータの選択、（３）ブラケティング撮影での撮影フレーム数の上限値、（４）ブラケティング撮影での各フレーム毎のパラメータ変化量、などがＣＰＵ１８に入力される。
以下、第１実施形態のブラケティング撮影モードでの撮影動作を図２の流れ図に沿って説明する。
【００２２】
ステップＳ１０１：ＣＰＵ１８は、設定画面におけるユーザーの入力に基づいて、ブラケティング撮影で変化させるパラメータ、撮影フレーム数の上限値、各フレーム毎のパラメータ変化量を決定する。
ステップＳ１０２：ＣＰＵ１８はレリーズ釦の半押しによってＡＦ演算およびＡＥ演算等を実行してブラケティング撮影を準備する。なお、Ｓ１０１でフォーカスレンズの位置を変化させるブラケティング撮影を選択した場合には、ＣＰＵ１８がＡＦ演算を省略するように設定してもよい。
【００２３】
ステップＳ１０３：ＣＰＵ１８はレリーズ釦の全押しによってブラケティング撮影を開始する。まず、ＣＰＵ１８は撮像素子１５を駆動させて被写体を撮影する。そして、画像処理部１９は撮影画像データと動き量演算用の画像データとを生成する。そして、ＣＰＵ１８は動き量演算用の画像データの初回撮影分（基準画像データ）をメモリ２１の所定領域に格納する。
【００２４】
ステップＳ１０４：ＣＰＵ１８は、Ｓ１０１のパラメータ変化量に基づいて撮影条件のパラメータの設定を変化させる。
ステップＳ１０５：ＣＰＵ１８は撮像素子１５を駆動させて、前回撮影時とは異なる撮影条件で被写体を撮影する。画像処理部１９は撮影画像データと動き量演算用の画像データとを生成する。
【００２５】
ステップＳ１０６：動き量演算部２０は、メモリ２１の基準画像データ（Ｓ１０３）と動き量演算用の画像データ（Ｓ１０５）とを比較して動き量データを生成する。
具体的には、まず、動き量演算部２０は基準画像データと動き量演算用の画像データとを比較する。そして、動き量演算部２０は動き量演算用の画像データにおいて、基準画像データの輝度または色相と閾値以上の差がある画素（変化のある画素）を検出する。その後、動き量演算部２０は上記の「変化のある画素」の数に基づいて動き量データを生成する。
【００２６】
ここで、動き量演算部２０は、ブラケティング撮影で変化させるパラメータに応じて上記の「変化のある画素」を以下のように検出する。
（１）シャッタ秒時、絞り値、撮像感度のいずれかで露出条件を変化させる場合には、被写体に動きがなくても各フレーム間で明るさが変化する。したがって、動き量演算部２０は、基準画像データの色相を基準として、動き量演算用の画像データで色相に閾値以上の差がある画素を検出する。
【００２７】
（２）ホワイトバランスを変化させる場合には被写体に動きがなくても各フレーム間で色合いが変化する。したがって、動き量演算部２０は、基準画像データの輝度を基準として、動き量演算用の画像データで輝度に閾値以上の差がある画素を検出する。
（３）ズームレンズの位置を変化させる場合には各フレーム間での撮影画面の大きさが対応していないので、基準画像データと動き量演算用の画像データとを直接比較することができない。したがって、この場合は画像処理部１９の拡縮処理で動き量演算用の画像データを基準画像データと等倍にする。その後、動き量演算部２０は、基準画像データの輝度または色相を基準として、動き量演算用の画像データで輝度または色相の少なくとも一方に閾値以上の差がある画素を検出する。
【００２８】
（４）フォーカスレンズの位置を変化させる場合には、画像間の対応する位置の色合いが異なれば被写体に動きがあるものと推定できる。したがって、動き量演算部２０は、基準画像データの色相を基準として、動き量演算用の画像データで色相に閾値以上の差がある画素を検出する。
ステップＳ１０７：ＣＰＵ１８は動き量データ（Ｓ１０６）に基づいて、撮影画像（Ｓ１０５）の被写体の動き量が閾値未満であるか否かを判定する。被写体の動き量が閾値未満の場合（ＹＥＳ側）にはＳ１０８に移行する。一方、被写体の動き量が閾値以上の場合（ＮＯ側）には被写体のポーズや構図が初回撮影時と大きく異なるので、ＣＰＵ１８は次回の撮影動作を中止してブラケティング撮影モードを終了する。
【００２９】
ステップＳ１０８：ＣＰＵ１８はブラケティング撮影での撮影総数が撮影フレーム数の上限値（Ｓ１０１）未満か否かを判定する。撮影総数が上限値未満の場合（ＹＥＳ側）にはＳ１０４に戻って、ＣＰＵ１８はブラケティング撮影を続行する。一方、撮影総数が上限値に到達した場合（ＮＯ側）には、ＣＰＵ１８はブラケティング撮影モードを終了する。
【００３０】
上記第１実施形態では、ＣＰＵ１８は被写体の動き量が閾値以上の場合（すなわち、被写体のポーズや構図が途中で大きく変化した場合）にはブラケティング撮影を中止させる（Ｓ１０７）。そのため、ブラケティング撮影された各フレーム間では被写体のポーズや構図がほぼ一定に保たれ、初回撮影の画像と対比しうる画像を撮影することができる。そして、初回撮影と被写体のポーズや構図が大きく異なる撮影失敗画像が大量に撮影されることもない。
【００３１】
さらに、第１実施形態ではブラケティング撮影モードで複数回の撮影を行うので、撮影光学系のパラメータを段階的に変化させるブラケティング撮影にも対応できる。なお、動き量演算部２０は変化させるパラメータに応じて動き量の判定方法を変化させるので（Ｓ１０６）、いずれのブラケティング撮影においても被写体の動きを高い精度で検出できる。
【００３２】
（第２実施形態の説明）
第２実施形態は第１実施形態の変形例である。ここで、以後の実施形態において第１実施形態と共通の構成には同一符号を付して説明を省略する。
第２実施形態の電子カメラは図１と同様の構成であって、以下の点において第１実施形態と相違する。すなわち、ブラケティング撮影が中止された場合には、ＣＰＵ１８は所定間隔ごとに撮像素子１５を駆動させて再開判定用のモニタ撮影を所定時間まで実行する。そして、ＣＰＵ１８はモニタ撮影で生成された動き量データに基づいてブラケティング撮影を再開するか否かを判定する。
【００３３】
また、図３は第２実施形態のブラケティング撮影モードでの撮影動作を示す流れ図である。なお、第２実施形態のＳ２０１〜Ｓ２０６は第１実施形態のＳ１０１〜Ｓ１０６にそれぞれ対応するので重複部分の説明は省略する。
ステップＳ２０７：ＣＰＵ１８は動き量データ（Ｓ２０６）に基づいて、撮影画像（Ｓ２０５）の被写体の動き量が閾値未満であるか否かを判定する。被写体の動き量が閾値未満の場合（ＹＥＳ側）にはＳ２０８に移行する。一方、被写体の動き量が閾値以上の場合（ＮＯ側）にはＳ２０９に移行する。
【００３４】
ステップＳ２０８：ＣＰＵ１８はブラケティング撮影での撮影総数が撮影フレーム数の上限値（Ｓ２０１）未満か否かを判定する。撮影総数が上限値未満の場合（ＹＥＳ側）にはＳ２０４に戻って、ＣＰＵ１８はブラケティング撮影を続行する。一方、撮影総数が上限値に到達した場合（ＮＯ側）には、ＣＰＵ１８はブラケティング撮影モードを終了する。
【００３５】
ステップＳ２０９：この場合には被写体のポーズや構図が初回撮影時と大きく異なるので、ＣＰＵ１８はブラケティング撮影を中止する。また、ＣＰＵ１８はブラケティング撮影中止からのタイムカウントを開始する。
ステップＳ２１０：ＣＰＵ１８は前回の撮影から所定間隔をおいて再開判定用のモニタ撮影を実行する。このモニタ撮影では、ＣＰＵ１８は撮影条件のパラメータを変更させないで被写体を撮影する。画像処理部１９はモニタ撮影のデジタル画像信号に基づいて動き量演算用の画像データ（再開判定用の画像データ）のみを生成する。
【００３６】
なお、この再開判定用の画像データは撮影画像データよりも画素数を少なく設定してもよい。この場合にはモニタ撮影時の画像読みだしの高速化、演算負荷の軽減を図ることができる。特に、基準画像データが撮影画像データよりも画素が間引きされている場合には、再開判定用の画像データの画素数を基準画像データと一致させればその効果がより顕著となる。
【００３７】
ステップＳ２１１：動き量演算部２０は、メモリ２１の基準画像データ（Ｓ２０３）と再開判定用の画像データ（Ｓ２１０）とを比較して動き量データを生成する。なお、基準画像データと再開判定用の画像データとの画素数が相違する場合には、画像処理部１９が予め基準画像データを間引きして再開判定用の画像データの画素数に対応させる。
ステップＳ２１２：ＣＰＵ１８は動き量データ（Ｓ２１１）に基づいて、モニタ撮影時の被写体の動き量が閾値未満であるか否かを判定する。被写体の動き量が閾値未満の場合（ＹＥＳ側）には、ＣＰＵ１８はタイムカウントをリセットするとともに、Ｓ２０４に戻ってブラケティング撮影を再開する。一方、被写体の動き量が閾値以上の場合（ＮＯ側）には、被写体のポーズや構図は初回撮影時と大きく異なったままなのでＳ２１３に移行する。
【００３８】
ステップＳ２１３：ＣＰＵ１８はブラケティング撮影の中止から所定時間経過したか否かを判定する。中止から所定時間経過した場合（ＹＥＳ側）には、ＣＰＵ１８はブラケティング撮影モードを終了する。一方、中止から所定時間が経過していない場合（ＮＯ側）には、ＣＰＵ１８はＳ２１０に戻って上記動作を繰り返す。
上記第２実施形態によれば、第１実施形態の効果に加えて以下の効果を得ることができる。第２実施形態では、撮影中止後にモニタ撮影を行って被写体の動き量を検出し（Ｓ２１０、Ｓ２１１）、被写体の動き量が閾値未満の状態となった場合にはブラケティング撮影を再開させる（Ｓ２１２）。
【００３９】
そのため、ブラケティング撮影中に被写体のポーズや構図が一時的に変化する状況においても、初回撮影の画像と対比しうる画像を撮影することができる。例えば、ブラケティング撮影中に通行人等が電子カメラの前を横切った場合には、撮影画面内に通行人が入っている間はブラケティング撮影を中止し、通行人の通過後にブラケティング撮影を再開することなどが可能となる。
【００４０】
また、第２実施形態ではブラケティング撮影の再開判定を所定時間で打ち切るので（Ｓ２１３）、初回撮影時から被写体のポーズ等が大きく変わったままの場合にはブラケティング撮影を自動的に終了させることができる。
（第３実施形態の説明）
図４は第３実施形態の電子カメラシステムの構成を示す概要図である。電子カメラシステムは、第１実施形態の電子カメラと、撮影制御装置（例えばパーソナルコンピュータ等）とで構成される。電子カメラと撮影制御装置とは公知の有線または無線の通信規格で接続されて相互にデータ送受信が可能となっている。
【００４１】
また、第３実施形態の電子カメラでは、ＣＰＵ１８は撮影制御装置からの指示に基づいてブラケティング撮影および第２実施形態で説明したモニタ撮影を実行する。また、画像処理部１９は上記撮影時に動き量演算用の画像データを生成する。そして、ＣＰＵ１８は動き量演算用の画像データを撮影制御装置に送信する。なお、ブラケティング撮影による撮影画像データは電子カメラ側の記録媒体２７に記録してもよく、撮影制御装置側で記録するようにしてもよい。
【００４２】
撮影制御装置は、マイクロプロセッサ３１と、基準画像データ等を格納するメモリ３２と、モニタ３３を接続する表示ドライバ部３４と、キーボードやポインティングデバイス等の入力装置３５と、各部を接続するシステムバス３６とを有している。
マイクロプロセッサ３１は電子カメラシステムの制御プログラムに基づいて、電子カメラのＣＰＵ１８にブラケティング撮影等を実行させる。なお、第３実施形態では、マイクロプロセッサ３１が「ブラケティング撮影で変化させるパラメータ」、「撮影フレーム数の上限値」、「各フレーム毎のパラメータ変化量」、「レリーズタイミング」などを電子カメラのＣＰＵ１８に入力することができる。
【００４３】
また、マイクロプロセッサ３１は電子カメラから受信した動き量演算用の画像データ（基準画像データを含む）に基づいて被写体の動き量を演算する。そして、被写体の動き量が閾値以上の場合には電子カメラのＣＰＵ１８にブラケティング撮影を中止させる。また、ブラケティング撮影が中止された場合、マイクロプロセッサ３１は電子カメラに再開判定用のモニタ撮影を指示し、モニタ撮影で取得した被写体の動き量に基づいてブラケティング撮影を再開するか否かを判定する。なお、マイクロプロセッサ３１の実行する動き量の演算は第１実施形態と同様の方法で行われる。
【００４４】
上記第３実施形態の電子カメラシステムによれば、第１実施形態または第２実施形態と同様のブラケティング撮影を行うことが可能となる。なお、第３実施形態では撮影制御装置側で動き量の演算を行うので、電子カメラに動き量演算部等を設けなくとも上記のブラケティング撮影を行うことができる。
（請求項と実施形態との対応関係）
ここで、請求項と実施形態との対応関係を示しておく。なお、以下に示す対応関係はあくまで参考のために示す解釈であって、本発明の技術的範囲を限定するものではない。
【００４５】
「撮影光学系」には撮影レンズ１１が対応する。「撮像素子」には撮像素子１５が対応する。「制御部」、「カメラ側制御部」にはＣＰＵ１８や画像処理部１９の機能が対応する。電子カメラの「メモリ」にはメモリ２１が対応し、電子カメラシステムの「メモリ」にはメモリ３２が対応する。電子カメラの「動き量演算部」には動き量演算部２０が対応する。電子カメラシステムの「動き量演算部」、「装置側制御部」にはマイクロプロセッサ３１が対応する。
【００４６】
（実施形態の補足事項）
以上、本発明を上記の実施形態によって説明してきたが、本発明の技術的範囲は上記実施形態に限定されるものではない。
（１）上記実施形態において、基準画像データを含む動き量演算用の画像データは撮影画像データそのものであってもよい。
【００４７】
（２）本発明では、撮影画面内の一部を切り出して動き量演算用の画像データを生成し、撮影画面中の部分領域でブラケティング撮影の中止、再開を判定するようにしてもよい。  （３）本発明の電子カメラでは、動き量演算用の画像データを複数のブロックに分割し、各ブロックの動きベクトルに基づいて被写体の動き量を検出するようにしてもよい。
（４）なお、本発明の電子カメラは、コンパクト型あるいは一眼レフレックス型のいずれの電子カメラであってもよい。
【図面の簡単な説明】
【００４８】
【図１】第１実施形態の電子カメラの構成を示す概要図
【図２】第１実施形態のブラケティング撮影モードでの撮影動作を示す流れ図
【図３】第２実施形態のブラケティング撮影モードでの撮影動作を示す流れ図
【図４】第３実施形態の電子カメラシステムの構成を示す概要図
【符号の説明】
【００４９】
１１  撮影レンズ
１５  撮像素子
１８  ＣＰＵ
１９  画像処理部
２０  動き量演算部
２１  メモリ
３１  マイクロプロセッサ
３２  メモリ
【図１】
2006217249.tif 000003
【図２】
2006217249.tif 000004
【図３】
2006217249.tif 000005
【図４】
2006217249.tif 000006